(57)【要約】【課題】  携帯電話に送信したコンテンツを最適な方向とサイズで表示し、操作を表示方向に合わせる。【解決手段】  デジタルテレビ受信機１００は、携帯端末１３０の表示器の表示パラメータを要求し、受信したパラメータをメモリ１１２に格納する。受信機１００は、選択されたビデオコンテンツを蓄積部１１２から読み出して、再生と配信を開始する。このとき、制御部１１０は、携帯端末１３０の表示パラメータに基づいて、ビデオコンテンツを最良の画質で表示できるように画像変換部１１３のビデオ画像縮小率とビデオ画像の表示回転を決定し、この決定内容に応じて操作コード変換部１１７を制御する。ビデオコンテンツは、画像変換部１１３により変換されて、携帯端末１３０に送信される。操作コード変換部１１７は、携帯端末１３０の操作を表示回転の有無に応じて変換する。【選択図】  図１
2005175995.tif 000002
【特許請求の範囲】
【請求項１】
配信されたビデオコンテンツと操作パネルを表示して操作パネルに対するユーザの操作入力を送信するビデオ端末に、ネットワークを介してビデオコンテンツと操作パネルとを配信するビデオコンテンツ配信手段と、
ネットワークを介して受信する当該当該ビデオ端末のユーザ操作入力に基づいて当該ビデオコンテンツ配信手段を制御する配信制御手段
とを有するビデオサーバであって、
当該ビデオコンテンツ配信手段は、表示方向の縦横を回転したビデオコンテンツと操作パネルを配信可能であり、
当該配信制御手段は、当該ビデオ端末から受信した当該ビデオ端末のユーザ操作入力における方向指示の内容を、当該ビデオコンテンツ配信手段における縦横の回転に応じて変換することを特徴とするビデオサーバ。
【請求項２】
当該ビデオコンテンツ配信手段における表示方向の縦横の回転は、ビデオコンテンツと操作パネルとを表示する当該ビデオ端末の表示器の水平方向１ラインを構成する画素数及び垂直方向のライン数と、ビデオコンテンツと操作パネルの表示領域を構成する縦横の画素数とに基づいて決定されることを特徴とする請求項１に記載のビデオサーバ。
【請求項３】
当該ビデオコンテンツ配信手段における表示方向の縦横の回転は、当該ビデオ端末におけるビデオコンテンツと操作パネルの表示の大きさが最も大きくなるように決定されることを特徴とする請求項１又は２に記載のビデオサーバ。
【請求項４】
放送波を受信して放送番組を受信する放送受信手段と、
受信した放送番組を蓄積するビデオコンテンツ蓄積手段と、
請求項１乃至３の何れか１項に記載のビデオサーバ
とを具備することを特徴とするデジタルテレビ受信機。
【請求項５】
ネットワークと、
当該ネットワークに接続され、配信されたビデオコンテンツと操作パネルとを受信してこれを表示し、表示した操作パネルに対するユーザの操作入力を送信するビデオ端末と、
当該ネットワークに接続されるビデオサーバであって、当該ビデオ端末に対してビデオコンテンツと操作パネルとを配信するビデオコンテンツ配信手段と、受信した当該ビデオ端末のユーザ操作入力に基づいて当該ビデオコンテンツ配信手段を制御する配信制御手段とを有するビデオサーバ
とを具備するビデオ配信システムであって、
当該ビデオサーバの当該ビデオコンテンツ配信手段は、表示方向の縦横を回転したビデオコンテンツと操作パネルとを配信可能であり、
当該ビデオサーバの配信制御手段は、受信した当該ビデオ端末のユーザ操作入力における方向指示の内容を、当該ビデオコンテンツ配信手段における縦横の回転に応じて変換することを特徴とするビデオ配信システム。
【請求項６】
ネットワークと、
当該ネットワークに接続されるビデオ端末であって、配信されたビデオコンテンツと操作パネルとを受信してこれを表示する表示手段と、表示した操作パネルに対するユーザ操作を入力する操作入力手段と、当該ユーザ操作を変換して送信する操作変換送信手段とを有するビデオ端末と、
当該ネットワークに接続されるビデオサーバであって、当該ビデオ端末に対してビデオコンテンツと操作パネルとを配信するビデオコンテンツ配信手段と、受信した当該ビデオ端末のユーザ操作入力に基づいて当該ビデオコンテンツ配信手段を制御する配信制御手段とを有するビデオサーバ
とを具備するビデオ配信システムであって、
当該ビデオサーバの当該ビデオコンテンツ配信手段は、表示方向の縦横を回転したビデオコンテンツと操作パネルとを配信可能であり、
当該ビデオ端末の当該操作変換送信手段は、当該ビデオコンテンツ配信手段における縦横回転に応じて当該ユーザ操作を変換することを特徴とするビデオ配信システム。
【請求項７】
当該ビデオ端末は、前記操作変換送信手段におけるユーザ操作の変換の指示を受信して当該操作変換送信手段に設定する変換指示受信手段を備え、
当該ビデオサーバは、当該ビデオ端末の当該変換指示受信手段に変換指示を送信する変換指示送信手段を備え、
当該変換指示送信手段は、当該ビデオコンテンツ配信手段における縦横回転に応じた変換を行うように当該ビデオ端末の当該変換指示受信手段に変換指示を送信し、
当該操作変換送信手段は、当該変換指示受信手段からの設定に従って当該ユーザの操作入力を変換して、当該ビデオサーバに送信することを特徴とする請求項６に記載のビデオ配信システム。
【請求項８】
当該ビデオサーバの当該ビデオコンテンツ配信手段における表示方向の縦横の回転は、ビデオコンテンツと操作パネルとを表示する当該ビデオ端末の表示器の水平方向１ラインを構成する画素数及び垂直方向のライン数と、ビデオコンテンツと操作パネルの表示領域を構成する縦横の画素数とに基づいて決定されることを特徴とする請求項５乃至７のいずれか１項に記載のビデオ配信システム。
【請求項９】
当該ビデオサーバの当該ビデオコンテンツ配信手段における表示方向の縦横の回転は、当該ビデオ端末におけるビデオコンテンツと操作パネルの表示の大きさが最も大きくなるように決定されることを特徴とする請求項５乃至８のいずれか１項に記載のビデオ配信システム。
【請求項１０】
ネットワークと、
当該ネットワークに接続されるビデオ端末であって、配信されたビデオコンテンツと操作パネルとを受信して表示し、表示した操作パネルに対するユーザの操作入力を送信するビデオ端末と、
当該ネットワークに接続されるデジタルテレビ受信機であって、放送を受信して放送から受信した放送番組を蓄積するビデオコンテンツ蓄積手段と、当該ビデオ端末に蓄積したビデオコンテンツと操作パネルとを配信するビデオコンテンツ配信手段と、受信した当該ビデオ端末のユーザ操作入力に基づいて当該ビデオコンテンツ配信手段を制御する配信制御手段とを有するデジタルテレビ受信機とを具備するビデオ配信システムであって、
当該デジタルテレビ受信機のビデオコンテンツ配信手段は、表示方向の縦横を回転したビデオコンテンツと操作パネルとを配信可能であり、
当該デジタルテレビ受信機の配信制御手段は、受信した当該ビデオ端末のユーザ操作入力における方向指示の内容を、当該ビデオコンテンツ配信手段における縦横の回転に応じて変換することを特徴とするビデオ配信システム。
【請求項１１】
ネットワークと、
当該ネットワークに接続されるビデオ端末であって、配信されたビデオコンテンツと操作パネルとを受信してこれを表示する表示手段と、表示した操作パネルに対するユーザ操作を入力する操作入力手段と、当該ユーザ操作を変換して送信する操作変換送信手段とを有するビデオ端末と、
当該ネットワークに接続されるデジタルテレビ受信機であって、放送を受信して放送から受信した放送番組を蓄積するビデオコンテンツ蓄積手段と、当該ビデオ端末に蓄積したビデオコンテンツと操作パネルとを配信するビデオコンテンツ配信手段と、受信した当該ビデオ端末のユーザ操作入力に基づいて当該ビデオコンテンツ配信手段を制御する配信制御手段とを有するデジタルテレビ受信機
とを具備するビデオ配信システムであって、
当該デジタルテレビ受信機の当該ビデオコンテンツ配信手段は、表示方向の縦横を回転したビデオコンテンツと操作パネルとを配信可能であり、
当該ビデオ端末の当該操作変換送信手段は、当該ビデオコンテンツ配信手段における縦横回転に応じて当該ユーザ操作を変換することを特徴とするビデオ配信システム。
【請求項１２】
当該ビデオ端末は、当該操作変換送信手段におけるユーザ操作の変換の指示を受信して当該操作変換送信手段に設定する変換指示受信手段を備え、
当該デジタルテレビ受信機は、当該ビデオ端末の当該変換指示受信手段に変換指示を送信する変換指示送信手段を備え、
当該変換指示送信手段は、当該ビデオコンテンツ配信手段における縦横回転に応じた変換を行うように当該ビデオ端末の当該変換指示受信手段に変換指示を送信し、
当該操作変換送信手段は、当該変換指示受信手段からの設定に従って当該ユーザの操作入力を変換して、当該デジタルテレビ受信機に送信することを特徴とする請求項１１に記載のビデオ配信システム。
【請求項１３】
当該デジタルテレビ受信機の当該ビデオコンテンツ配信手段における表示方向の縦横の回転は、ビデオコンテンツと操作パネルとを表示する当該ビデオ端末の表示器の水平方向１ラインを構成する画素数及び垂直方向のライン数と、ビデオコンテンツと操作パネルの表示領域を構成する縦横の画素数とに基づいて決定されることを特徴とする請求項１０乃至１２のいずれか１項に記載のビデオ配信システム。
【請求項１４】
当該デジタルテレビ受信機の当該ビデオコンテンツ配信手段における表示方向の縦横の回転は、当該ビデオ端末におけるビデオコンテンツと操作パネルの表示の大きさが最も大きくなるように決定されることを特徴とする請求項１０乃至１３のいずれか１項に記載のビデオ配信システム。
【発明の詳細な説明】
【技術分野】
【０００１】
本発明はビデオサーバ、デジタルテレビ受信機及びビデオ配信システムに関し、より具体的には、ネットワークに接続されテレビ放送を受信し蓄積して配信を行うビデオサーバ、デジタルテレビ受信機及びビデオ配信システムに関する。
【背景技術】
【０００２】
近年、ビデオ信号の圧縮伸長技術の進歩と、これを実行するハードウエア技術及びソフトウエア実行能力の進歩により、小型の携帯端末でビデオ再生が可能となってきている。一方、テレビ放送のデジタル化によって、移動体によるテレビ受信が可能となり、携帯端末でのテレビ受信及びビデオコンテンツの視聴が行われるようになってきている。
【０００３】
しかし、携帯端末は、携行上の利便性を図るためにその外形が一般に小さく、そのディプレイのサイズも外形に伴って小型のものとなり、必ずしも映像コンテンツの表示に適したサイズとは言えない。また、片手に持って操作する端末では、縦長の外形が操作上好都合である場合も多く、そのディスプレイは、横より縦の方が長い縦長のディスプレイとなっている。
【０００４】
一方、デジタルビデオコンテンツは、高画質化と同時に縦横比も従来の４：３からより横長の１６：９に変化している。携帯端末の小さいディスプレイではビデオコンテンツを縮小して表示するので、画質の劣化は避けられない。一般的に、縮小の程度が大きい程、劣化の程度も大きくなる。こうした状況の中で、縮小の程度を小さくして少しでも良い画質で表示できるように、ビデオコンテンツの持つ縦横比によっては、ビデオコンテンツを９０回転させて表示することが行われる。即ち、より横長の表示が必要となる１６：９のビデオコンテンツを受信した場合には、表示方向を９０度、回し、携帯端末の表示器のより長い方をビデオコンテンツの横方向に合わせて表示する。
【特許文献１】特開２０００−３５８０５１号公報
【発明の開示】
【発明が解決しようとする課題】
【０００５】
テレビ放送がデジタル化し、デジタル記録装置が実用化されることによって、デジタルコンテンツを容易に蓄積することが可能となった。同時に、ネットワークの高速化、広帯域化及び無線化が進行すると、蓄積したビデオコンテンツを携帯端末に配信して携帯電話で視聴することが可能となる。
【０００６】
図１９は、蓄積したビデオコンテンツをビデオサーバ８００からネットワーク８２０経由で携帯端末８３０に配信するビデオオンデマンドシステムの構成を示す。ビデオサーバ８００は、蓄積したビデオコンテンツと、ビデオコンテンツの再生制御を操作するために端末８３０で表示する操作パネルとを合成し、ネットワーク８２０を通じて端末８３０に配信する。端末８３０は、受信したビデオコンテンツをデコードして、ディスプレイに表示する。端末８３０のユーザは、ビデオを視聴しつつ、同時に表示される操作パネルを端末８３０上で操作する。即ち、端末８３０に備えられる上下左右の方向キーを操作し、操作パネルに表示される操作候補表示（フォーカス）を所望の操作を行うためのボタン表示に移動し、端末８３０の決定ボタンを操作する。
【０００７】
図２０は、携帯端末８３０の正面図を示す。図２１は、携帯端末８３０のディスプレイに表示されるビデオコンテンツと操作パネルの例を示す。図２１に示す例では、左右の方向キーを用いて一時停止ボタン表示を選択し、決定キーで決定する。
【０００８】
端末８３０の方向キーの操作は、ネットワークを通じてビデオサーバ８００に送信される。ビデオサーバ８００は、受信した操作に応じて操作候補表示を移動したグラフィックを生成し、ビデオコンテンツと合成して携帯端末８３０に送信する。端末８３０からユーザの決定キーの操作を受信すると、ビデオサーバ８００は、操作候補表示があるボタン表示の内容に応じたビデオコンテンツの制御を行い、その結果のビデオコンテンツを敬太端末８３０に送信する。例えば、操作候補表示が一時停止ボタン表示にあって端末８３０の決定ボタンが操作されたとき、ビデオサーバ８００は、ビデオコンテンツの再生（送信）を一時停止する。
【０００９】
クライアントが携帯端末である場合、ユーザの操作とビデオサーバ８００における表示の変更に矛盾が生じる。
【００１０】
図２２は、縦長のディスプレイを持つ端末で横長（１６：９）のコンテンツを受信し、これを９０度回転して表示する様子を示す。図２１の場合と同様に、配信されるビデオコンテンツの再生を一時停止したい場合、ユーザは、操作候補表示が一時停止ボタン表示に移すために、その方向を指す方向キーとして下方向キーを操作する。ビデオサーバは、下方向キーの操作結果を受信すると、操作候補表示を停止ボタン表示へ移動する。この結果、ユーザの操作意図とは異なった結果になる。
【００１１】
目的の操作を行うためには、ユーザは、端末の表示を見て、表示上での移動方向を左と読み取り、端末の方向をコンテンツの視聴方向から９０度回転させ、このとき見える表示とは異なる右方向のキーを操作する必要がある。即ち、従来のシステムでは、表示上の方向と操作上の方向が一致しないという問題がある。
【００１２】
本発明は、このような問題点を解決するビデオサーバ、デジタルテレビ受信機及びビデオ配信システムを提示することを目的とする。
【課題を解決するための手段】
【００１３】
本発明に係るビデオサーバは、配信されたビデオコンテンツと操作パネルを表示して操作パネルに対するユーザの操作入力を送信するビデオ端末に、ネットワークを介してビデオコンテンツと操作パネルとを配信するビデオコンテンツ配信手段と、ネットワークを介して受信する当該当該ビデオ端末のユーザ操作入力に基づいて当該ビデオコンテンツ配信手段を制御する配信制御手段とを有するビデオサーバである。当該ビデオコンテンツ配信手段は、表示方向の縦横を回転したビデオコンテンツと操作パネルを配信可能である。当該配信制御手段は、当該ビデオ端末から受信した当該ビデオ端末のユーザ操作入力における方向指示の内容を、当該ビデオコンテンツ配信手段における縦横の回転に応じて変換する。
【００１４】
本発明に係るデジタルテレビ受信機は、放送波を受信して放送番組を受信する放送受信手段と、受信した放送番組を蓄積するビデオコンテンツ蓄積手段と、上述のビデオサーバとを具備することを特徴とする。
【００１５】
本発明に係るビデオ配信システムは、ネットワークと、当該ネットワークに接続され、配信されたビデオコンテンツと操作パネルとを受信してこれを表示し、表示した操作パネルに対するユーザの操作入力を送信するビデオ端末と、当該ネットワークに接続されるビデオサーバであって、当該ビデオ端末に対してビデオコンテンツと操作パネルとを配信するビデオコンテンツ配信手段と、受信した当該ビデオ端末のユーザ操作入力に基づいて当該ビデオコンテンツ配信手段を制御する配信制御手段とを有するビデオサーバとを具備するビデオ配信システムであって、当該ビデオサーバの当該ビデオコンテンツ配信手段は、表示方向の縦横を回転したビデオコンテンツと操作パネルとを配信可能であり、当該ビデオサーバの配信制御手段は、受信した当該ビデオ端末のユーザ操作入力における方向指示の内容を、当該ビデオコンテンツ配信手段における縦横の回転に応じて変換することを特徴とする。
【００１６】
本発明に係るビデオ配信システムは、ネットワークと、当該ネットワークに接続されるビデオ端末であって、配信されたビデオコンテンツと操作パネルとを受信してこれを表示する表示手段と、表示した操作パネルに対するユーザ操作を入力する操作入力手段と、当該ユーザ操作を変換して送信する操作変換送信手段とを有するビデオ端末と、当該ネットワークに接続されるビデオサーバであって、当該ビデオ端末に対してビデオコンテンツと操作パネルとを配信するビデオコンテンツ配信手段と、受信した当該ビデオ端末のユーザ操作入力に基づいて当該ビデオコンテンツ配信手段を制御する配信制御手段とを有するビデオサーバとを具備するビデオ配信システムであって、当該ビデオサーバの当該ビデオコンテンツ配信手段は、表示方向の縦横を回転したビデオコンテンツと操作パネルとを配信可能であり、当該ビデオ端末の当該操作変換送信手段は、当該ビデオコンテンツ配信手段における縦横回転に応じて当該ユーザ操作を変換することを特徴とする。
【００１７】
本発明に係るビデオ配信システムは、当該ネットワークに接続されるビデオ端末であって、配信されたビデオコンテンツと操作パネルとを受信して表示し、表示した操作パネルに対するユーザの操作入力を送信するビデオ端末と、当該ネットワークに接続されるデジタルテレビ受信機であって、放送を受信して放送から受信した放送番組を蓄積するビデオコンテンツ蓄積手段と、当該ビデオ端末に蓄積したビデオコンテンツと操作パネルとを配信するビデオコンテンツ配信手段と、受信した当該ビデオ端末のユーザ操作入力に基づいて当該ビデオコンテンツ配信手段を制御する配信制御手段とを有するデジタルテレビ受信機とを具備するビデオ配信システムであって、当該デジタルテレビ受信機のビデオコンテンツ配信手段は、表示方向の縦横を回転したビデオコンテンツと操作パネルとを配信可能であり、当該デジタルテレビ受信機の配信制御手段は、受信した当該ビデオ端末のユーザ操作入力における方向指示の内容を、当該ビデオコンテンツ配信手段における縦横の回転に応じて変換することを特徴とする。
【００１８】
本発明に係るビデオ配信システムは、ネットワークと、当該ネットワークに接続されるビデオ端末であって、配信されたビデオコンテンツと操作パネルとを受信してこれを表示する表示手段と、表示した操作パネルに対するユーザ操作を入力する操作入力手段と、当該ユーザ操作を変換して送信する操作変換送信手段とを有するビデオ端末と、当該ネットワークに接続されるデジタルテレビ受信機であって、放送を受信して放送から受信した放送番組を蓄積するビデオコンテンツ蓄積手段と、当該ビデオ端末に蓄積したビデオコンテンツと操作パネルとを配信するビデオコンテンツ配信手段と、受信した当該ビデオ端末のユーザ操作入力に基づいて当該ビデオコンテンツ配信手段を制御する配信制御手段とを有するデジタルテレビ受信機とを具備するビデオ配信システムであって、当該デジタルテレビ受信機の当該ビデオコンテンツ配信手段は、表示方向の縦横を回転したビデオコンテンツと操作パネルとを配信可能であり、当該ビデオ端末の当該操作変換送信手段は、当該ビデオコンテンツ配信手段における縦横回転に応じて当該ユーザ操作を変換することを特徴とする。
【発明の効果】
【００１９】
本発明によれば、携帯端末に配信されるビデオコンテンツと操作パネルが、携帯端末の表示器おいてもっとも良い画質で表示されるように表示の回転を行った場合においても、表示された操作パネルの内容に一致した方向のキーを操作することによって、期待通りの方向に画面上の操作を行うことができる。このため、回転して表示されたビデオコンテンツが正しく見えるように携帯端末の本体を回転させた状態のまま、操作キーの操作を行うことができ、快適な操作環境を得ることができる。
【発明を実施するための最良の形態】
【００２０】
以下、図面を参照して、本発明の実施例を詳細に説明する。
【実施例１】
【００２１】
図１は、本発明の一実施例の概略構成ブロック図を示す。図示したデジタルテレビ受信機１００は、パーソナルビデオサーバ機能を具備する。
【００２２】
先ず、デジタルテレビ受信機としての基本的な構成と動作を説明する。１０２は選局部であり、地上波デジタル放送の受信アンテナ１０１からの放送信号又はＣＡＴＶ放送信号が入力する。選局部１０２は、制御部１１０からの制御信号に基づいて、番組情報が含まれる受信データから所定の伝送チャンネルを選択（同調）し、選択した伝送チャンネルの受信データを復調部１０３に出力する。
【００２３】
復調部１０３は、入力された受信データに放送形態に応じた復調処理を行うもので、例えば、デジタルデータを復調する場合には、デジタル復調処理を施した後にエラー訂正を行い、分離部１０４に出力する。分離部１０４は、復調部１０３の出力信号を受け、多重化された信号から映像信号、音声信号及びデータ信号を分離して、映像信号と音声信号を映像音声デコーダ１０５に、データ信号を番組情報抽出部１０６にそれぞれ出力する。
【００２４】
映像・音声デコーダ１０５は、ＭＰＥＧ２方式により圧縮されている映像信号と音声信号をデコードする。デコードされた映像信号は、画面合成部１０７の中にある少なくとも表示画像１面分の容量を持つフレームメモリに格納される。伸長された音声信号は、図示されないＤ／Ａ変換器によりアナログ信号に変換され、増幅機能を含むスピーカ１０８から音声として出力される。
【００２５】
番組情報抽出部１０６は、分離部１０４からの信号から放送番組の送信時に付加された番組情報を抽出する。番組選択を行うのに必要な番組属性データも抽出される。抽出された属性データを含む番組情報は、制御部１１０に供給される。番組属性データは、放送信号に基づく番組の属性を示す情報であって、例えば、番組の開始・終了時刻情報、伝送チャンネル情報、番組の名称、番組をジャンル別に分類するのに必要なジャンル情報、有料放送等の放送サービス形態を示す情報、番組のシリーズ情報及び番組の視聴可能な制限年齢情報等のデータからなる。有料放送の場合には、課金を行うための課金情報等が、該当する番組に付加される場合もある。
【００２６】
制御部１１０は、メモリ１１２の不揮発性メモリ（ＲＯＭ）に記憶されているプログラムに従って各種の処理を実行する。制御部１１０は、論理ロジックのみで構成されていても、ＣＰＵ又は並列演算が可能なメディアプロセッサであってもよい。
【００２７】
制御部１１０は、番組情報抽出部１０６が出力する番組情報データを取り込み、メモリ１１２に格納する。番組情報データは、一定周期で伝送されてくるので、メモリ１１２は、常に最新の番組情報を保持する。
【００２８】
グラフィック生成部１１１は、制御部１１０の描画命令により、ＢｉｔＢＬｔ（ｂｉｔ  ｂｌｏｃｋ  ｔｒａｎｓｆｅｒ）又はＤＭＡ（ｄｉｒｅｃｔ  ｍｅｍｏｒｙ  ａｃｃｅｓｓ）などのアクセラレーション機能を用いて、画面合成部１０７中のフレームメモリにＥＰＧ画面及び操作パネルなどのデータを展開する。ＢｉｔＢＬｔはビットマップデータの転送方式であり、メインメモリとグラフィックスメモリの間、及びグラフィックスメモリ間で高速にデータを転送できる。
【００２９】
メモリ１１２には必要に応じて文字フォントなどが格納されている。文字フォントは、文字情報を画面に展開するときに使用される。画面合成部１０７は、制御部１１０からのウィンドウ管理指示に基づき表示アドレスを切り替えながら内部のメモリから表示データを読み出し、映像音声デコーダ１０５からの映像データとグラフィック生成部１０７からの画像データとを適宜合成し、これらの合成画面を示すデータを表示部１０９に出力する。
【００３０】
画面合成部１０７は、また、制御部１１０からの指示により、映像音声デコーダ１０５からの映像データとグラフィック生成部１１１からの画像データの一方を選択し、表示デバイス１０９に出力することも可能である。
【００３１】
表示部１０９は、マトリクス電極構造を持つフラットパネル（液晶表示素子及びプラズマ表示素子等）又はＣＲＴ等の画像を表示するデバイスからなる。
【００３２】
蓄積部１１８は例えばハードディスクからなる。蓄積部１１８は、分離部１０４で分離された映像・音声が多重されたトランスポートストリーム（ＴＳ）を記憶でき、放送番組を録画できる。蓄積部１１８に蓄積されたＴＳデータを読み出し、映像音声デコーダ１０４でデコードすることにより、録画された放送番組を再生できる。録画と読み出しの複合的な動作によって、遅延再生、ダイジェスト再生及びタイムシフトなどの機能を実現できる。制御部１１０が、蓄積部１１８のこれらの機能を制御する。
【００３３】
以上、説明した構成とその動作により、デジタルテレビ受信機１００は、デジタルテレビ放送を受信し、その番組を視聴し、また番組を蓄積部１１８に録画再生して視聴することができる。
【００３４】
デジタルテレビ受信機１００のビデオサーバ機能を説明する。画像変換部１１３は、制御部１１０の制御のもとで、画面合成部１０７から出力されるビデオ信号の縮小拡大処理と回転処理を行う。後で説明する通り、画面合成部１０７に入力されるビデオ信号は、受信した放送番組を直接デコードした信号である場合もあるが、主に、蓄積部１１８に蓄積されたビデオコンテンツが読み出され、映像音声デコーダ１０５でデコードされたものである。回転処理は、ビデオ信号を表示したとき、その表示方向を９０度右に回転するように変換する処理である。画像の回転処理は、右９０度に限定するものではなく、左９０度でも可能であるが、簡単のために、本実施例では、右９０度回転の処理であるものとして説明する。
【００３５】
画像変換部１１３で縮小拡大処理を受けたビデオ信号は、画像エンコーダ１１４によりＭＰＥＧ２方式で圧縮符号化され、多重化装置１１５で音声データ及び制御データと多重化され、ネットワークインターフェース１１６からネットワーク１２０へ出力される。
【００３６】
操作コード変換部１１７は、携帯端末でのユーザの操作コードをネットワークインターフェース１１６を介して受信し、制御部１１０の制御のもとで画像変換部１１３での回転処理に適合するよう操作コードを変換して、制御部１１０に出力する。
【００３７】
携帯端末１３０は、ネットワーク１２０を通じてビデオコンテンツを受信してこれを表示し、ユーザの操作をビデオサーバとなるデジタルテレビ受信機１００に送信する。携帯端末１３０は、この機能以外に、例えば携帯電話機能を有する。
【００３８】
携帯端末１３０のネットワークインターフェース１３１は、圧縮エンコードされたビデオコンテンツと制御信号をネットワーク１２０を介して受信し、ユーザの操作結果を操作コードとして送信する。ネットワークインターフェース１３１で受信されたビデオコンテンツは、映像音声デコーダ１３２でデコードされる。音声データは、図示しない音声出力部から出力され、ビデオ信号は、表示部１３３で映像として表示される。この映像は、ビデオサーバとなるデジタルテレビ受信機１００が配信するビデオコンテンツの映像であり、ビデオサーバ機能の操作パネルがグラフィックとして合成されたものである。さらには、ビデオサーバのコンテンツを選択するためのグラフィック映像であるときもある。
【００３９】
ユーザ操作インターフェース１３６は、上下左右を指示する方向キー、決定キー、及び数字を入力するための数字キーなどで構成される。ユーザ操作インターフェース１３６による操作入力は制御部１３４に入力され、ネットワークインターフェース１３１からネットワーク１２０を介してデジタルテレビ受信機１００に送信される。
【００４０】
端末機能部１３８は、例えば、携帯電話としての送受話部分、データ通信を行う部分、又はＰＤＡ（Ｐｅｒｓｏｎａｌ  Ｄａｔａ  Ａｓｓｉｓｔａｎｔ）を構成する部分である。
【００４１】
デジタルテレビ受信機１００のビデオサーバ機能の動作を詳細に説明する。デジタルテレビ受信機１００は、予めデジタルテレビ放送を受信し、受信した番組をビデオコンテンツとして蓄積し、蓄積したコンテンツにビデオサーバ機能操作用のパネル（操作パネル）を合成した画像をネットワーク１２０を介して携帯端末１３０に配信する。デジタルテレビ受信機１００はまた、携帯端末１３０で操作パネルに対して行った操作入力を受信し、その操作内容に従い、操作パネルの表示内容を変更すると共にビデオ配信を制御する。
【００４２】
図２は、デジタルテレビ受信機１００と携帯端末１３０との間のビデオコンテンツの配信動作の流れを示す。デジタルテレビ受信機１００の制御部１１０は、自身に組み込まれたロジック又はメモリ１１２に格納されたプログラムに従って各部を制御する。
【００４３】
デジタルテレビ受信機１００と携帯端末１３０は、ネットワークに定められたプロトコルに従って接続を確立する（Ｃ１０１）。次に、デジタルテレビ受信機１００の制御部１１０は、ネットワークを通じて携帯端末１３０の表示パラメータを要求する（Ｃ１０２）。表示パラメータは、携帯端末１３０の表示部１３３の表示性能に関するデータであり、少なくとも、表示可能な横方向の画素数及び縦方向のライン数が含まれ、表示器を構成する画素の縦横比、表示可能な色数及びフレームレートなどが含まれてもよい。要求は携帯端末１３０の制御部１３４で処理され、表示パラメータ部１３５に格納された表示パラメータ（データ）がネットワークを通じてデジタルテレビ受信機１００に送られ（Ｃ１０３）、制御部１１０からメモリ１１２に格納される（Ｓ１０１）。
【００４４】
デジタルテレビ受信機１００の制御部１１０は、蓄積したビデオコンテンツのリストを携帯端末１３０に送信して表示させ、配信すべきビデオコンテンツの選択をユーザに促す（Ｓ１０２）。即ち、制御部１１０は、メモリ１１０に格納された蓄積ビデオコンテンツに関する情報を読み出し、グラフィック生成部１１１を通じて選択画面を生成する。画面合成部１０７は、コンテンツ選択のための画面表示だけで構成される画面を生成し、画像変換部１１３に送る。画像変換部１１３は、制御部１１０の制御のもとで、画像の回転処理無しの適切な縮小処理を行い、その処理結果は、画像エンコード部１１４及び多重化部１１５を経て、ＭＰＥＧ２方式でエンコードされたビデオコンテンツとしてネットワークを通じて携帯端末１３０に送信される（Ｃ１０４）。このとき、制御部１１０は、後述する通り、画像の回転処理が無いことに対応した操作コードの変換を操作コード変換部１１７に設定する。
【００４５】
携帯端末１３０は、図１で説明した通り、受信したビデオコンテンツを表示部１３３で表示する。図３は、携帯端末１３０の外観を示す。図４は、ビデオコンテンツ選択画面を表示する携帯端末１３０の要部を示す。１３３は携帯端末の表示部、１４１から１４４は携帯端末のユーザ操作インターフェースの一部を構成する上下左右の方向キー、１４５は決定キーである。１５０は、表示部１３３に表示されたビデオコンテンツ選択画面を構成するビデオコンテンツリストであり、本実施例では、ビデオコンテンツのタイトルと補足情報とからなる。１５１はグラフィック表示された選択候補表示である。
【００４６】
ビデオコンテンツ選択画面が表示された状態で、携帯端末１３０の上（又は下）の方向キーを操作すると、制御部１３４の制御により、ネットワークインターフェース１３１を通じてユーザ操作がデジタテレビ受信機１００に送信される（Ｃ１０５）。デジタルテレビ受信機１００では、操作コード変換部１１７を経て、上（又は下）の方向キー操作が制御部１１０に通知される。制御部１１０は、ビデオコンテンツリスト上の選択候補表示の表示位置を一つ上側（又は下側）に移動するようグラフィック生成部１１１を制御する。その結果として、携帯端末１３０の表示器１３３に表示されるビデオコンテンツ選択画面の選択候補表示の表示位置が、移動する。
【００４７】
ビデオコンテンツ選択画面が表示された状態で、携帯端末１３０の決定キーを操作すると、制御部１３４の制御によりネットワークインターフェース１３１を通じて決定キーの操作コードがデジタルテレビ受信機１００に送信される（Ｃ１０６）。デジタルテレビ受信機１００では、方向キーの場合と同様に、決定キーの操作が制御部１１０に通知される。
【００４８】
制御部１１０は、選択候補表示があるビデオコンテンツを蓄積部１１２から読み出して、再生と配信を開始する。このとき、制御部１１０は、予めメモリ１１２に格納した携帯端末１３０の表示パラメータに基づいて、ビデオコンテンツを最良の画質で表示できるように画像変換部１１３部のビデオ画像縮小率とビデオ画像の表示回転を決定し、この決定内容に応じて操作コード変換部１１７を制御する。
【００４９】
図５は、携帯端末１３０の表示部の大きさと、配信するビデオコンテンツの表示領域の大きさに基づいて、表示の回転の有無とビデオ信号の縮小率を決定する制御部１１０の手順を示す。Ｗｄ及びＨｄは、それぞれ、携帯端末１３０の表示部の水平方向の画素数及び垂直方向のライン数であり、メモリ１１２に格納された表示パラメータから得られる。ここでは、携帯端末１３０の表示部は、正方形の画素を持つことを前提としている。ＷｓとＨｓは、ビデオ表示の水平方向の画素数と垂直方向のライン数である。ビデオ表示は、ビデオコンテンツと操作パネルの合成画像で構成されており、操作パネルをビデオコンテンツの表示領域内に合成する場合には、ビデオコンテンツの表示領域の大きさが用いられ、ビデオコンテンツの領域外に並べて表示する様に合成する場合には、その両者の外形の大きさが用いられる。
【００５０】
図５において、初めに、携帯端末１３０の表示部の縦横の大きさを比べ、表示部が横長であるか縦長であるかを判断する（Ｓ２０１）。Ｗｄの方がおおきく、表示器が横長である場合、表示器を回転せずに使用することを優先する。そのために、先ずビデオ表示の横幅を表示器の横幅に合わせた場合の縮小率Ｓ１と、ビデオ表示の縦の大きさを表示器の縦の大きさに合わせた場合の縮小率Ｓ２を計算し（Ｓ２０２）、Ｓ１とＳ２を比較する（Ｓ２０３）。Ｓ２の方が大きい場合には、ビデオ表示は横幅一杯に表示可能であるので、表示条件として、「表示回転なし」で縮小率Ｓ１を与える（Ｓ２０４）。
【００５１】
Ｓ２の方が小さい場合には縦の縮小率で表示できるが、この場合、画像の回転を行った場合と比較する。即ち、ビデオ表示の横幅を表示器の縦の大きさに合わせた場合の縮小率Ｓ３を計算し（Ｓ２０５）、縮小率Ｓ２と比較する（Ｓ２０６）。Ｓ２の方が大きい場合には、回転しない方がより大きく表示できるので、表示条件として、「表示回転なし」で縮小率Ｓ２を与える（Ｓ２０７）。
【００５２】
逆にＳ３の方が大きい場合、回転した方がより大きく表示できるが、回転した状態でビデオ表示の縦方向が表示器の横幅に収まるかを確かめるため、ビデオ表示の縦の大きさを表示器の横幅に合わせた場合の縮小率Ｓ４を計算し（Ｓ２０８）、縮小率Ｓ３と比較する（Ｓ２０９）。Ｓ４の方が大きい場合には、ビデオ表示の横幅を表示器の縦の大きさに合わせて表示できるので、表示条件として、「表示回転あり」で縮小率Ｓ３を与える（Ｓ２１０）。Ｓ３の方が大きい場合には、表示条件として、「表示回転あり」で縮小率Ｓ４を与える。
【００５３】
ここで得られた表示条件の表示回転の有無と縮小率は、制御部１１０から画像変換部１１３に設定される。これにより、画像変換部１１３は、携帯電話１３０に送信する画像を、携帯端末１３０の表示器の条件に照らして操作パネルを合成したビデオコンテンツを最もよい条件で表示することが出来るフォーマットに変換する。制御部１１０はまた、表示回転の有無に応じて操作コード変換部１１７を制御する。図６は、操作コード変換部１１７のコード変換テーブルを示す。操作コード変換部１１７は、携帯端末１３０のユーザ操作インターフェースの操作結果である操作コードを、図６に示すように予め設定された表に従って変換する。即ち、画像変換部１１３におけるビデオコンテンツの回転変換が行われない場合、操作コードはそのまま出力される。回転変換が行われる場合、方向キーの操作は回転されたビデオコンテンツを正しい方向で視聴したユーザが画面の表示と一致した方向のキーを操作したとき、本来の方向に一致するよう操作コードを変換する。どちらの変換が行われるかは、図５で説明した表示条件の決定手順において、画像の回転変換の有無に応じて設定される。
【００５４】
図７は、回転が無い場合の携帯電話１３０の表示例を示し、図８は、回転がある場合の携帯電話１３０の表示例を示す。
【００５５】
図７に示す例では、操作パネルを伴う４：３のアスペクト比を持つＳＤビデオコンテンツを、表示の回転を行わずに、ビデオコンテンツの横幅を表示器の横幅に合わせて表示している。表示器の上下には、ビデオコンテンツ１５２及び操作パネル１５３を表示しない余裕が生ずるが、余裕を上下に等分に配置している。１５４は選択候補表示である。ユーザが右方向の方向キー１４４を操作すると、図２における説明と同様に、その操作は、操作コード（右）としてデジタルテレビ受信機１００に通知され、制御部１１０は、選択候補表示を右のグラフィック要素に移動するようグラフィック生成部１１１を制御する。この結果として、携帯端末１３０の操作パネル上に表示される選択候補表示は、一つ右の「一時停止」ボタン表示１５５に移動する。
【００５６】
図８に示す例は、図７と同様の操作パネルを伴う１６：９のアスペクト比を持つＨＤビデオコンテンツを配信した場合である。図５で説明した手順に従って表示条件を設定した結果、表示が回転され、ビデオコンテンツと操作パネルを合成したビデオコンテンツの縦の大きさを表示器の横幅に合わせた位置と縮小率で最良の表示になる。図８では、選択候補１５８を「一時停止」ボタン表示１５９へ移動させようとしたとき、ユーザは、表示上の方向に一致した方向キーとして下方向キーを操作する。制御部１３４からネットワークを通じてデジタルテレビ受信機１００に通知される操作コードは、操作コード変換部１１７により、図６に示す通り、右方向キーの操作コードに変換される。その結果、図７における操作と同様に、選択候補表示は「再生」ボタン表示から「一時停止」ボタン表示に移動する。
【００５７】
本実施例で使用するネットワークは、ビデオコンテンツの配信と制御通信が可能なネットワークであればよく、データ通信を行う携帯電話通信網であっても、また無線ネットワークによるインターネット環境でも良い。また、有線によるネットワークでもよい。ビデオコンテンツの配信を受ける端末を回転してビデオコンテンツを視聴するアプリケーションであれば、本実施例による効果を享受できる。また、ネットワークは、一部が無線、一部が有線であっても可能である。
【００５８】
配信されるコンテンツのアスペクト比が４：３であるときに表示の回転を行わず、アスペクト比が１６：９であるときに表示の回転を行う実施例を説明したが、回転の有無は、ビデオコンテンツのアスペクト比でのみで決まるものではなく、操作パネルが合成されたビデオコンテンツの縦横のサイズと携帯端末の表示器との関係に基づいて、携帯端末における最良の表示状態が得られるよう決められることは、既に説明した通りである。
【００５９】
図２では、表示の回転をコンテンツ配信の開始時に切り替えるように説明したが、コンテンツ配信の途中であっても、操作パネルが合成されたビデオコンテンツの縦横のサイズと携帯端末の表示器との関係に基づいて適切な表示状態を得るための回転位置が変化した場合には、コンテンツの回転を変更し、受信する操作の逆回転変換の内容を変更するようにしてもよい。
【００６０】
操作パネルが合成されたビデオコンテンツの縦横のサイズと携帯端末の表示機の関係に基づいて最良の表示状態が得られるように、表示の回転を自動的に選択する例を示したが、ユーザの使用環境と趣向によって表示の回転を決定することも可能である。
【００６１】
図９及び図１０は、こうした機能を実現する操作パネルを表示する携帯端末の要部を示す。図７及び図８とは、操作パネルの構成が異なる。図９において、１６１は操作パネル上のコンテンツ回転ボタンである。携帯端末の上下左右キーの操作によって選択候補表示１５４をコンテンツ回転ボタン１６１に移動した状態で決定キーを操作することにより、ビデオコンテンツの表示方向を回転させる。このとき、携帯端末とデジタルテレビ受信機の間では、図２のＣ１０４からＣ１０７で説明したのと同様の通信と、Ｓ１０２、Ｓ１０３で説明したのと同様の処理が行われる。携帯端末の表示状態は図９に示す状態から図１０に示す状態に遷移する。反対に、図１０に示す状態でコンテンツ回転ボタン１６２を選択決定すると、表示状態を元の状態、即ち図９に示す状態に戻すことができる。即ち、ユーザの使用環境と趣向によって、表示の回転を任意に決定できる。
【実施例２】
【００６２】
本発明の第２実施例を説明する。第２実施例は、ビデオ表示の回転変換に伴う操作コードの補正機能に特徴を有する。以下、第１実施例とは異なる点を中心に、第２実施例の構成と動作を説明する。
【００６３】
図１１は、第２実施例の概略構成ブロック図を示す。図１に示す構成要素と同じ機能の構成要素には同じ符号を付してある。デジタルテレビ受信機３００は、デジタルテレビ受信機１００と比較して、操作コード変換部を含まず、制御部３１０の動作が制御部１１０の動作とは異なる。その他の部分は、デジタルテレビ受信機１００と同様の構成を有し、同様に動作する。携帯端末３３０は、携帯端末１３０に比較して、操作コード変換部３３７を含み、制御部３３４の動作が制御部１３４の動作とは異なる。その他の部分は、携帯電話１３０と同様の構成を有し、同様に動作する。
【００６４】
図１２は、デジタルテレビ受信機３００と携帯端末３３０との間のビデオコンテンツ配信動作のフローを示す。先ず、デジタルテレビ受信機３００と携帯端末３３０は、ネットワークに定められたプロトコルに従って接続を確立する（Ｃ３０１）。デジタルテレビ受信機３００の制御部３１０は、ネットワークを通じて携帯端末３３０の表示パラメータを要求し（Ｃ３０２）、携帯端末３３０の制御部３３４によって表示パラメータ部３３５に格納された表示パラメータ（データ）が、ネットワークを通じてデジタルテレビ受信機３００に送られ（Ｃ３０３）、制御部３１０によりメモリ１１２に格納される（Ｓ３０１）。
【００６５】
次に、デジタルテレビ受信機３００の制御部３１０は、蓄積したビデオコンテンツのリストを携帯端末３３０に表示して、ユーザに配信すべきビデオコンテンツの選択を促す。このとき、コンテンツリストの表示条件に従って操作コード変換部３３７に変換パラメータを設定する（Ｓ３０４）。即ち、携帯端末３３０の操作コード変換部３３７が、配信されるビデオの回転変換に対応するユーザ操作補正を行えるように、制御部３１０は、第１実施例で図６を参照して説明したような変換パラメータを携帯端末３３０に送信し、携帯端末３３０は、その変換パラメータを操作コード変換部３３７に設定する。ここでは、コンテンツリストを回転変換なしで表示するので、図６における「回転なし」条件の場合のコードがデジタルテレビ受信装置３００から携帯端末３３０に送信される。
【００６６】
次に、コンテンツリストがビデオコンテンツとして、ネットワークを通じて携帯端末３３０へ送信され（Ｃ１０４）、携帯端末におけるユーザの操作によって再生するコンテンツが決定される（Ｓ３０２）。
【００６７】
図１３は、携帯端末３３０の外観を示す。図１４は、ビデオコンテンツの選択画面を表示する携帯端末３３０の要部を示す。図１４では、ビデオコンテンツのリスト３５０がグラフィックで表示され、選択候補表示３５１が表示される。携帯端末の３３０の操作ユーザインターフェース１３６の一部を構成する上下の方向キー１４１又は１４２を操作すると、ユーザ操作インターフェース１３６で操作したキーに対応する操作コードが操作コード変換部３３７に出力される。操作コード変換部３３７は、既に述べたように、コンテンツリストが回転変換無しで表示されていることに対応し、入力した操作コードをそのまま出力するように設定されている。従って、上下の方向キー操作に対する操作コードは、そのままデジタルテレビ受信機３００に送信され、選択候補表示３５１の表示位置が変更される。決定キー１４５の操作に対する操作コードがデジタルテレビ受信機３００に送信されたとき、選択候補表示３５１が表示されているコンテンツが、ユーザが指定するコンテンツとして決定される。これは、第１実施例と同じである。
【００６８】
続いて、テレビ受信機３００の制御部３１０は、決定されたビデオコンテンツを蓄積部１１２から読み出して再生・配信を開始する（Ｃ３０７）。これに先立ち、予めメモリ１１２に格納した携帯端末３３０の表示パラメータに基づき、図５に示す手順により、ビデオコンテンツを最良の画質で表示できる表示条件を決定し、画像変換部１１３のビデオ画像縮小率とビデオ画像の表示回転の制御を行うとともに、表示回転の有無に応じた操作コードの変換パラメータを携帯電話３３０に送信する（Ｃ３０４）。これによって、今後配信されるビデオコンテンツ上で表示された操作パネルに対するユーザ操作は、たとえビデオコンテンツが９０度回転されたものであっても、ユーザがその表示の通りの方向キーを操作すれば、本来の方向キーの操作に補正された操作コードが携帯端末３３０からデジタルテレビ受信機３００に送信されるようになる（Ｃ３０８）。
【００６９】
図１５は、操作パネルを伴う４：３のアスペクト比を持つＳＤビデオコンテンツを携帯端末３３０に配信して表示した場合の表示例を示す。図５で説明した手順に従って表示条件を設定した結果、表示の回転を行わず、ビデオコンテンツの横幅を表示器の横幅に合わせて表示している。表示の回転を行わないので、操作コード変換部３３７には、コンテンツリストの表示の場合と同様、ユーザの操作どおりの操作コードを出力するような変換パラメータが設定されている。右方向キーの操作によって再生ボタンにある選択候補表示３５４は、一時停止ボタン３５５に移動する。
【００７０】
図１６は、操作パネルを伴う１６：９のアスペクト比を持つＨＤビデオコンテンツを配信して表示した場合の表示例を示す。図５で説明した手順に従って表示条件を設定した結果、表示を回転し、ビデオコンテンツと操作パネルを合成したビデオコンテンツの縦の大きさを表示器の横幅に合わせた位置と縮小率で最良の表示が行われる。表示の回転を行う設定であるので、操作コード変換部３３７には、図６に示す「回転あり」の場合の操作コード変換パラメータが設定される。右方向キーの操作によって、再生ボタンにある選択候補表示３５８は、停止ボタン３６０に移動する。下方向キーの操作によって、再生ボタン表示にある選択候補表示３５８は、一時停止ボタン３５９に移動する。即ち、画面の回転変換が行われた場合でも、ユーザは、画面の表示と一致した方向のキーを操作することによって、方向キーの指す方向に選択候補表示を移動させることができる。
【００７１】
第１実施例と同様に、ネットワークは、ビデオコンテンツの配信と制御通信が可能なネットワークであればよい。配信されるコンテンツのアスペクト比が４：３であるとき表示の回転を行わず、アスペクト比が１６：９であるとき表示の回転を行う例を示したが、第１実施例と同様に、回転の有無は、ビデオコンテンツのアスペクト比のみで決まるものではなく、操作パネルが合成されたビデオコンテンツの縦横のサイズと携帯端末の表示器との関係に基づいて、携帯端末における最良の表示状態が得られるよう決められる。
【００７２】
図１２に関して、表示の回転をコンテンツ配信の開始時に切り替えるように説明したが、コンテンツ配信の途中であっても、操作パネルが合成されたビデオコンテンツの縦横のサイズと携帯端末の表示器との関係に基づいて適切な表示状態を得るための回転位置が変化した場合には、新たな操作データ変換パラメータを送信し、配信するコンテンツの回転を変更することが可能である。
【００７３】
操作パネルが合成されたビデオコンテンツの縦横のサイズと携帯端末の表示機の関係に基づいて、最良の表示状態が得られるように表示の回転を自動的に選択する例を示したが、ユーザの使用環境や趣向によって表示の回転を決定することも可能である。
【００７４】
図１７及び図１８は、こうした機能を実現する操作パネルを表示した携帯端末の要部を示す。図１５及び図１６とは、操作パネルの構成が異なる。図１７で、３７１は操作パネル上のコンテンツ回転ボタンである。携帯端末の上下左右キーの操作によって選択候補表示３５４をコンテンツ回転ボタン３７１に移動した状態で決定キーを操作することにより、ビデオコンテンツの表示方向の回転を指示できる。このとき、携帯端末とデジタルテレビ受信機の間では、図１２のＣ３０４からＣ３０７で説明したものと同様の通信と、Ｓ３０３で説明したものと同様の処理が行われ、携帯端末の表示状態は、図１７の状態から図１８の表示状態に遷移する。反対に、図１８に示す状態で、コンテンツ回転ボタン３７２を選択決定することにより、表示状態を元の状態に戻すことができる。即ち、ユーザの使用環境と趣向によって、表示の回転を任意に決定できる。
【図面の簡単な説明】
【００７５】
【図１】本発明の一実施例の概略構成ブロック図である。
【図２】デジタルテレビ受信機１００と携帯端末１３０との間のビデオコンテンツの配信動作の流れを示す図である。
【図３】携帯端末１３０の外観を示す図である。
【図４】ビデオコンテンツ選択画面を表示する携帯端末１３０の要部を示す図である。
【図５】表示の回転の有無と縮小率を決定する手順のフローチャートである。
【図６】操作コード変換部１１７のコード変換テーブルの一例である。
【図７】回転が無い場合の携帯電話１３０の表示例である。
【図８】回転がある場合の携帯電話１３０の表示例である。
【図９】携帯電話の表示例である。
【図１０】携帯電話の表示例である。
【図１１】第２実施例の概略構成ブロック図である。
【図１２】デジタルテレビ受信機３００と携帯端末３３０との間のビデオコンテンツ配信動作のフローを示す図である。
【図１３】携帯端末３３０の正面図である。
【図１４】ビデオコンテンツの選択画面を表示する携帯端末３３０の要部を示す図である。
【図１５】操作パネルを伴う４：３のアスペクト比を持つＳＤビデオコンテンツを携帯端末３３０に配信して表示した場合の表示例を示す図である。
【図１６】操作パネルを伴う１６：９のアスペクト比を持つＨＤビデオコンテンツを配信して表示した場合の表示例を示す図である。
【図１７】携帯端末３３０の表示例である。
【図１８】携帯端末３３０の表示例である。
【図１９】従来のビデオオンデマンドシステムの概略構成ブロック図である。
【図２０】携帯端末８３０の正面図である。
【図２１】携帯端末８３０のディスプレイに表示されるビデオコンテンツと操作パネルの例である。
【図２２】縦長のディスプレイを持つ端末で横長（１６：９）のコンテンツを９０度回転して表示する例を示す。
【符号の説明】
【００７６】
１００：デジタルテレビ受信機
１０１：受信アンテナ
１０２：選局部
１０３：復調部
１０４：分離部
１０５：映像音声デコーダ
１０６：番組情報抽出部
１０７：画面合成部
１０８：スピーカ
１０９：表示部
１１０：制御部
１１１：グラフィック生成部
１１２：メモリ
１１３：画像変換部
１１４：画像エンコーダ
１１５：多重化装置
１１６：ネットワークインターフェース
１１７：操作コード変換部
１１８：蓄積部
１２０：ネットワーク
１３０：携帯端末
１３１：ネットワークインターフェース
１３２：映像音声デコーダ
１３３：表示部
１３４：制御部
１３６：ユーザ操作インターフェース
１３８：端末機能部
３００：デジタルテレビ受信装置
３１０：制御部
３３０：携帯電話
３３４：制御部
３３７：操作コード変換部
８００：ビデオサーバ
８２０：ネットワーク
８３０：携帯端末
【図１】
2005175995.tif 000003
【図２】
2005175995.tif 000004
【図３】
2005175995.tif 000005
【図４】
2005175995.tif 000006
【図５】
2005175995.tif 000007
【図６】
2005175995.tif 000008
【図７】
2005175995.tif 000009
【図８】
2005175995.tif 000010
【図９】
2005175995.tif 000011
【図１０】
2005175995.tif 000012
【図１１】
2005175995.tif 000013
【図１２】
2005175995.tif 000014
【図１３】
2005175995.tif 000015
【図１４】
2005175995.tif 000016
【図１５】
2005175995.tif 000017
【図１６】
2005175995.tif 000018
【図１７】
2005175995.tif 000019
【図１８】
2005175995.tif 000020
【図１９】
2005175995.tif 000021
【図２０】
2005175995.tif 000022
【図２１】
2005175995.tif 000023
【図２２】
2005175995.tif 000024